(57)【特許請求の範囲】
【請求項１】
１バイトコードの文字データを記録する為の第１の記録エリア、及び２バイトコードの文字データを記録する為の第２の記録エリア内の各記録データを再生する再生手段と、
前記第１、第２の各記録エリアに入力手段から入力された１バイトコードの文字データ、２バイトコードの文字データを記録する記録手段と、
を備えた記録再生装置において、
前記入力手段により入力された文字データが、１バイトコードであるか、或いは２バイトコードであるかを判定する判定手段と、
前記判定手段により前記文字データが２バイトコードの文字データと判定された際、当該２バイトコードの文字データを１バイトコードの同一文字を表すデータに代替可能か否かを判定する代替可否判定手段と、
前記代替可否判定手段により前記２バイトコードの文字データが所定１バイトコードの文字データに代替可能と判定された際、該２バイトコードの文字データを１バイトコードの同一文字を表すデータで代替する代替手段と、
前記判定手段により前記文字データが１バイトコードの文字データと判定された場合には、当該文字データを前記第１の記録エリアに記録し、２バイトコードの文字データと判定された場合、当該２バイトコードの文字データが前記代替可否判定手段により代替不可と判定された場合は、当該文字データを前記第２の記録エリアに記録し、代替可能と判定された場合は、前記代替手段により代替された１バイトコードの文字データを前記第１の記録エリアに記録するように前記記録手段を制御する記録制御手段と、
を備えたことを特徴とする記録再生装置。
【請求項２】
１バイトコードの文字データを記録する為の第１の記録エリア、及び２バイトコードの文字データを記録する為の第２の記録エリア内の各記録データを再生する再生手段と、
前記第１、第２の各記録エリアに入力手段から入力された１バイトコードの文字データ、２バイトコードの文字データを記録する記録手段と、
を備えた記録再生装置のコンピュータに、
前記入力手段により入力された文字データが、１バイトコードであるか、或いは２バイトコードであるかを判定する判定手段、
前記判定手段により前記文字データが２バイトコードの文字データと判定された際、当該２バイトコードの文字データを１バイトコードの同一文字を表すデータに代替可能か否かを判定する代替可否判定手段、
前記代替可否判定手段により前記２バイトコードの文字データが所定１バイトコードの文字データに代替可能と判定された際、該２バイトコードの文字データを１バイトコードの同一文字を表すデータで代替する代替手段、
前記判定手段により前記文字データが１バイトコードの文字データと判定された場合には、当該文字データを前記第１の記録エリアに記録し、２バイトコードの文字データと判定された場合、当該２バイトコードの文字データが前記代替可否判定手段により代替不可と判定された場合は、当該文字データを前記第２の記録エリアに記録し、代替可能と判定された場合は、前記代替手段により代替された１バイトコードの文字データを前記第１の記録エリアに記録するように前記記録手段を制御する記録制御手段、
として機能させるためのプログラム。
【発明の詳細な説明】
【０００１】
【発明の属する技術分野】
本発明は、記録再生装置及びそのプログラムに関する。
【０００２】
【従来の技術】
従来、ＭＤ（Mini Disc）のディスク最内周に形成されたリードインエリアには、ディスクのタイトルや、記録された曲のタイトル、及びアーティスト名等の各種データがＵＴＯＣ（User Table Of Contents）データとして自由に書き込み可能となっており、このＵＴＯＣデータにより、ＭＤの記録データ管理と自在なデータ編集が実現される。
【０００３】
上記ＵＴＯＣデータはセクタ単位で構成され、現在使用されているのは０〜４セクタまでである。ＵＴＯＣ０（sector structure of UTOC sector=0）には、各曲（トラック）の開始・終了アドレス等が記録され、ＵＴＯＣ１（sector structure of UTOC sector=1）には、ディスクタイトルや各曲（トラック）のタイトル、及びアーティスト名（１ｂｙｔｅの半角のアルファベット、数字、カタカナ）等がＡＳＣＩＩ（American Standard Code for Information Interchange）コードでユーザにより記録可能となっている。以下、上記ＵＴＯＣ１における文字データの記録領域をカタカナエリアと称する。
【０００４】
また、ＵＴＯＣ２（sector structure of UTOC sector=2）には、録音の日月時が記録され、ＵＴＯＣ４（sector structure of UTOC sector=4）には、ディスクタイトルや各曲（トラック）のタイトル、及びアーティスト名等が、例えばＪＩＳ（Japan Industrial Standards）漢字に準拠する２ｂｙｔｅの文字コードでユーザにより記録可能となっている。この為、例えば曲名として、「エイユウ」を「英雄」と記録できるので、ユーザにとって、より判別し易いデータ表示が可能となる。以下、上記ＵＴＯＣ４における文字データの記録領域を漢字エリアと称する。なお、ＵＴＯＣ３（sector structure of UTOC sector=3）は、通常、データが記録されていない状態となっている。
【０００５】
ＭＤ等の記録媒体における従来の記録再生装置では、上記したディスクや各曲（トラック）のタイトルを入力する際、まずＵＴＯＣの入力先エリアとして漢字エリア或いはカタカナエリアのうち何れか一方が予め指定され、次いで、その指定されたエリアに適合したデータ形式で上記タイトル等が入力される。
【０００６】
例えば、曲のタイトルとして「ノクターン」を入力する場合、まずＵＴＯＣの入力先エリアとしてカタカナエリアが予め設定され、次いで、文字入力キー（図示略）のキー操作により入力された「ノクターン」を示す文字データがＡＳＣＩＩコードで上記ＵＴＯＣ１のカタカナエリア内に記録される。
【０００７】
また、曲のタイトルとして「月の光」を入力する場合、まずＵＴＯＣの入力先エリアとして漢字エリアが予め指定され、次いで、上記文字入力キーのキー操作により入力された「月の光」を示す文字データが、ＪＩＳ漢字に準拠する文字コードで上記ＵＴＯＣ４の漢字エリア内に記録される。
【０００８】
【発明が解決しようとする課題】
しかし、上記従来の記録再生装置においては、以下に示す問題点があった。すなわち、上記したディスクタイトルや各曲（トラック）のタイトルを入力する際、まずＵＴＯＣの入力先エリアとして漢字エリア或いはカタカナエリアのうち何れか一方が予め指定され、次いで、その指定されたエリアに適合したデータ形式で上記タイトル等の文字データが入力されていたが、記録する曲数が多い場合、或いは上記記録再生装置が複数枚ディスクを格納可能な場合等、入力するディスクや曲のタイトル等が多くなると、漢字エリア或いはカタカナエリアをその都度指定するのは面倒であった。
【０００９】
更に、漢字エリアを指定して上記ディスクや曲のタイトルを入力する際、漢字表示できない機種にも対応可能とする為、上記漢字エリアに記録されたタイトルと同一タイトルを更にカタカナエリアにも記録する際、漢字エリアからカタカナエリアに入力エリアをその都度切り替える必要があり、不便であった。
【００１０】
更に、データの高圧縮化に伴い、１枚のＭＤに多くの曲データが記録可能となる為、ＵＴＯＣの漢字及びカタカナエリアが有するメモリが不足して新たにデータの入力が行えない場合が生じ、不便であった。
【００１１】
本発明の課題は、曲のタイトル等の各種文字データを、各コード形式に応じて効率よく記録可能な記録再生装置を提供することである。
【００１２】
【課題を解決するための手段】
請求項１記載の発明は、１バイトコードの文字データを記録する為の第１の記録エリア、及び２バイトコードの文字データを記録する為の第２の記録エリア内の各記録データを再生する再生手段と、前記第１、第２の各記録エリアに入力手段から入力された１バイトコードの文字データ、２バイトコードの文字データを記録する記録手段と、を備えた記録再生装置において、前記入力手段により入力された文字データが、１バイトコードであるか、或いは２バイトコードであるかを判定する判定手段と、前記判定手段により前記文字データが２バイトコードの文字データと判定された際、当該２バイトコードの文字データを１バイトコードの同一文字を表すデータに代替可能か否かを判定する代替可否判定手段と、前記代替可否判定手段により前記２バイトコードの文字データが所定１バイトコードの文字データに代替可能と判定された際、該２バイトコードの文字データを１バイトコードの同一文字を表すデータで代替する代替手段と、前記判定手段により前記文字データが１バイトコードの文字データと判定された場合には、当該文字データを前記第１の記録エリアに記録し、２バイトコードの文字データと判定された場合、当該２バイトコードの文字データが前記代替可否判定手段により代替不可と判定された場合は、当該文字データを前記第２の記録エリアに記録し、代替可能と判定された場合は、前記代替手段により代替された１バイトコードの文字データを前記第１の記録エリアに記録するように前記記録手段を制御する記録制御手段と、を備えたことを特徴とする。
【００１３】
【発明の実施の形態】
以下、図１〜図６を参照して本発明の実施の形態におけるＭＤ記録再生装置１００について詳細に説明する。
図１は、本発明を適用したＭＤ記録再生装置１００の内部構成を示すブロック図である。
【００１４】
図１に示すように、ＭＤ記録再生装置１００は、ＭＤ部１１０、ＭＤ用ＡＴＲＡＣ・ＤＳＰ・ＬＳＩ１２０、Ｄ／Ａ１３０、入力部１４０、表示部１５０、マイコン１６０等を備えると共に、図示しないスピンドルモータ、サーボ制御回路、アドレスデコーダ等を備えて構成される。更に、ＭＤ１がＭＤ部１１０の図示しないＭＤ記録再生部に装填されているものとする。
【００１５】
ここで、ＭＤ記録再生装置１００は、請求項１記載の記録再生装置に対応する。また、マイコン１６０は、請求項１記載の判定手段と記録制御手段、請求項２記載の代替可否判定手段と代替手段、及び請求項３記載の変換手段と同一の機能を具備する。
【００１６】
上記スピンドルモータは、後述するサーボ制御回路からの制御信号に応じて回転駆動されてＭＤ１を回転し、上記スレッドは、このサーボ制御回路からの制御信号に応じて、ＭＤ１の動径方向、及びＭＤ１に接離する方向に後述する光学ヘッド（図示略）を移動させる。ここで、上記光学ヘッドは、請求項１記載の再生手段と同一の機能を備える。
【００１７】
上記サーボ制御回路は、後述するＲＦアンプから出力されたトラッキングエラー信号及びフォーカスエラー信号や、後述するマイコン１６０から出力されたトラックジャンプ指令、アクセス指令、上記スピンドルモータの回転速度検出データ等により、そのスピンドルモータ及びスレッドに各種サーボ駆動信号を出力してフォーカス制御及びトラッキング制御を行うと共に、スピンドルモータによるＭＤ１の回転速度を一定の線速度に保持する。
【００１８】
特にサーボ制御回路は、マイコン１６０からの制御信号に応じて、磁気ヘッド（図示略）を駆動する制御信号を磁気ヘッド駆動部（図示略）に出力し、ＭＤ１を挟んで上記光学ヘッドと対向する位置に配設された上記磁気ヘッドをＭＤ１の動径方向及びＭＤ１に接離する方向に移動させる。ここで、上記磁気ヘッドは、請求項１記載の記録手段と同一の機能を備える。
【００１９】
ＭＤ部１１０は、ＭＤスロットインメカ１１０ａ、ピックアップユニット１１０ｂ、ＲＦアンプ１１０ｃを備えて構成される。
【００２０】
ＭＤスロットインメカ１１０ａは、ＭＤ１をＭＤ記録再生装置（図示略）にセットし、そのセットしたＭＤ１を上記ＭＤ記録再生装置から開放する為の機構を有する。
【００２１】
ピックアップユニット１１０ｂは、ＭＤ１に予め記録されたＵＴＯＣ（User Table Of Contents）データや音楽データ等を読み取る為の上記光学ヘッドをマイコン１６０からの制御信号に応じて動作させる動作機構を備える。
【００２２】
上記光学ヘッドは、ＬＤ（Laser Diode）、偏向ビームスプリッタ、対物レンズ、及び反射光検出器等を各々備えて構成され（何れも図示略）、上記ＬＤから装填中のＭＤ１に照射した低レベルレーザ光の反射光を、上記光学ヘッドが備える反射光検出器によってそれぞれ検出することにより、ＭＤ１に予め記録されたＵＴＯＣデータやデジタル音楽データ等の各種データをピックアップする。
【００２３】
更に、ピックアップユニット１１０ｂは、後述するＭＤ用ＡＴＲＡＣ・ＤＳＰ・ＬＳＩ１２０から出力されたデジタル音楽データ、及び各種文字データ（ディスクや各曲のタイトル、アーティスト名）を装填中のＭＤ１に記録する上記磁気ヘッドと、上記サーボ制御回路からの制御信号に応じてＭＤ１の動径方向及びＭＤ１に接離する方向に上記磁気ヘッドを移動する上記磁気ヘッド駆動部とを有する。
【００２４】
ＲＦ（Radio Frequancy）アンプ１１０ｃは、上記光学ヘッドによって読み取られたＭＤ１のデータから、再生ＲＦ信号、トラッキングエラー信号、フォーカスエラー信号、及び、絶対位置データ等の各種情報をそれぞれ抽出すると共に、その抽出したＲＦ信号をＭＤ用ＡＴＲＡＣ・ＤＳＰ・ＬＳＩ１２０に出力し、トラッキングエラー信号及びフォーカスエラー信号を上記サーボ制御回路に出力し、絶対位置データを上記アドレスデコーダに出力する。
【００２５】
ＭＤ用ＡＴＲＡＣ・ＤＳＰ・ＬＳＩ（Adaptive Transform Acoustic Coding・Degital Signal Processor・Large Scale Integrated circuit）１２０は、デジタルデータ処理専用の高速マイクロプロセッサであり、ディジタル入力端子１０ａから入力されたディジタル音楽データ、及びアナログ入力端子１０ｂからＡ／Ｄ１３０を介して入力されたディジタル音楽データを、ＡＴＲＡＣ、ＡＴＲＡＣ３―ＬＰ２、或いはＡＴＲＡＣ３―ＬＰ４の音声圧縮方法に基づいて、ＡＴＲＡＣエンコード処理すると共に、ＥＦＭ（Eight to Fourteen Modulation）変調、ＣＩＲＣ（Cross Interleaved Reed-solomon Code）等の符号化処理する。
【００２６】
ここで、上記ＡＴＲＡＣ方式は、ＭＤ用デジタル音楽データに適用され、聴覚心理モデルに基づいてデジタル音声信号に対するＭＤＣＴ（Modified Discrete Cosine Transform）係数を適応ビットに配分（スカラー量子化）することにより、デジタル音楽データを長時間録音するデータ圧縮技術であり、圧縮率は約５分の１である。
【００２７】
このＡＴＲＡＣ方式は、ＭＤに記録する際の標準記録モード（ＭＤＳＰ；MD Standard Play mode）であるが、更にこのＡＴＲＡＣ方式を改良し、その２倍の圧縮率を実現したＡＴＲＡＣ３―ＬＰ２、更にその２倍の圧縮率に変換可能なＡＴＲＡＣ３―ＬＰ４が考案され、ＭＤ長時間記録モード（ＭＤＬＰ；MD Long Play mode）として実用化されている。すなわち、上記ＡＴＲＡＣ方式によるＭＤＳＰで記録する場合と比較すると、ＡＴＲＡＣ３―ＬＰ２のＭＤＬＰを用いれば、その２倍のステレオ長時間記録が可能となり、またＡＴＲＡＣ３―ＬＰ４のＭＤＬＰを用いた場合には、４倍のステレオ長時間記録が可能となる。
【００２８】
ＭＤ用ＡＴＲＡＣ・ＤＳＰ・ＬＳＩ１２０は、上記ＡＴＲＡＣエンコード処理したディジタル音楽データを、マイコン１６０からの指示信号に応じて、ステレオ或いはモノラルデータとして、ピックアップユニット１１０ｂが備える上記磁気ヘッドに出力する。
【００２９】
ＭＤ用ＡＴＲＡＣ・ＤＳＰ・ＬＳＩ１２０は、ＲＦアンプ１１０ｃから入力された上記ＲＦ信号をＥＦＭ復調、ＣＩＲＣ等の復号化処理を行うと共に、ＳＲＡＭ１６１に読み込まれたＭＤ１のＵＴＯＣデータを参照して、ＡＴＲＡＣ、ＡＴＲＡＣ３―ＬＰ２、或いはＡＴＲＡＣ３―ＬＰ４の音声圧縮方法に基づいてＡＴＲＡＣデコード処理する。
【００３０】
Ｄ／Ａ（Digital/Analog Converter）１４０は、ＭＤ用ＡＴＲＡＣ・ＤＳＰ・ＬＳＩ１２０から出力されたＡＴＲＡＣデコード済みデジタル音楽データをアナログ信号に変換し、その変換したアナログ信号をアナログ出力端子１０ｂに出力する。
【００３１】
入力部１４０は、ＭＤ記録再生装置１００に対する記録再生動作を指示する為の図示しない各種操作キーを備える。例えば、ＭＤ１の再生処理の開始を指示するプレイキーや、その再生処理の停止を指示するストップキー、光学ヘッドの移動を指示するトラックアップ／ダウンキー、ＭＤ１に所定のデジタル音楽データを記録する旨を指示する録音キーや、記録モード（ステレオ或いはモノラル方式や、ＡＴＲＡＣ３―ＬＰ２、４のデータ圧縮方式）を指定する記録モード指定キー等のＭＤ再生／記録処理に係る各種操作キーに加え、外部出力する際のボリュームアップ／ダウンキー、音質特性を調整するグラフィックイコライザキー、及び装填中ＭＤの開放を指示するイジェクトキーを備える。
【００３２】
更に、入力部１４０は、ＭＤ１のＵＴＯＣデータとして記録するディスクや各曲のタイトル、或いはアーティスト名を入力する為のＡＳＣＩＩコードに準拠した文字データ入力キー、上記文字データ入力キーのキー操作により入力された文字データをカタカナ変換する為のカタカナ変換キーや漢字変換する為の漢字変換キーを備えると共に（何れも図示略）、上記文字データ入力キーのキー操作により入力された文字データ、或いは、上記カタカナ変換キーや、漢字変換キーのキー操作によりカタカナや漢字変換された文字データをマイコン１６０に出力する為の文字入力実行キー（図示略）等を備える。
【００３３】
ここで、上記文字データ入力キー、漢字変換キーは、請求項１記載の入力手段、請求項３記載の変換指示手段とそれぞれ同一の機能を備える。
【００３４】
上記カタカナ変換キーによりカタカナ変換された文字データは、上記文字データ入力キーにより入力された文字データが「＾」（ＡＳＣＩＩコード＝５Ｅｈ；図４参照）によって挟まれた文字データである。例えば、上記文字データ入力キーにより「ａｏｉ」と入力された文字データは、上記カタカナ変換キーにより「＾ａｏｉ＾」に変換される。
【００３５】
表示部１５０は、ＬＣＤ（Liquid Crystal Display）等の表示装置を備え、後述するマイコン１６０からの制御信号に応じて各種表示データを上記表示装置に表示する。
【００３６】
マイコン１６０は、図示しないＣＰＵ（Central Processing Unit）、ＲＯＭ（Read Only Memory）、およびＲＡＭ（Random Access Memory）や、ＳＲＡＭ（Static RAM）１６１等により構成される。上記ＣＰＵは、上記ＲＯＭに格納されたＭＤ記録再生装置１００の各種動作を制御する各種プログラムを上記ＲＡＭに展開し、また、そのプログラムの実行に際して生じる各種データをそのＲＡＭ内に形成されるワークエリアに一時的に記憶する。
【００３７】
マイコン１６０は、ＭＤ１がＭＤ記録再生装置１００に新たに装填された際、そのＭＤ１のＵＴＯＣ０〜４等の各種データを、ピックアップユニット１１０ｂが備える光学ヘッドを介して読み取り、その読み取ったＵＴＯＣ０〜４データ等をＳＲＡＭ１６１に記憶する。特に、ディスクや各曲のタイトルを示す文字データが記録されたＵＴＯＣ１、及びＵＴＯＣ４の各データの一例をそれぞれ図２、３に示す。
【００３８】
ここで、図２の図中符号Ａ１、及び図３の図中符号Ａ２に示す各データ領域（それぞれ、カタカナエリア、漢字エリア）は、当該各データ領域の総容量（それぞれ、２０４８ｂｙｔｅ）から２４６個の“Ｌｉｎｋ−Ｐ”データ記憶領域（各１ｂｙｔｅ）を除いた１７９２ｂｙｔｅを有する。図中符号Ａ１に示すＵＴＯＣ１のカタカナエリアには、各１ｂｙｔｅ（半角）のＡＳＣＩＩコードが記憶され、図中符号Ａ２に示すＵＴＯＣ４の漢字エリアには、各２ｂｙｔｅ（全角）のＪＩＳ漢字に準拠する文字コードが記憶される。
【００３９】
ここで、上記ＵＴＯＣ１のカタカナエリア、ＵＴＯＣ４の漢字エリアは、それぞれ、請求項１記載の第１の記録エリア、第２の記録エリアに対応する。
【００４０】
マイコン１６０は、上記文字データ入力キーにより入力された文字データ（ＡＳＣＩＩコード）に対し、カタカナ変換キーによる変換指示が入力されると、当該文字データの始終端を「＾」で挟むように変換する。更に、マイコン１６０は、マイコン１６０の上記内蔵ＲＯＭに記憶された図５に示すカタカナ対応テーブルから、上記「＾」で挟まれた文字データに対応するカタカナ文字コードを読み取り、その読み取ったカタカナ文字コードをカタカナ表示データに変換し、そのカタカナ表示データを表示部１５０に随時出力する。
【００４１】
マイコン１６０は、上記文字データ入力キーにより入力された文字データ（ＡＳＣＩＩコード）に対し、漢字変換キーによる変換指示が入力されると、マイコン１６０の上記内蔵ＲＯＭに記憶されたＪＩＳ漢字コードテーブルから上記入力された文字データに対応するＪＩＳ漢字コードを上記変換指示が入力される度に順次読み取る。更に、マイコン１６０は、その読み取ったＪＩＳ漢字コードを漢字表示データに変換し、表示部１５０に随時出力する。
【００４２】
マイコン１６０は、マイコン１６０の上記内蔵ＲＯＭに記憶された図４に示すＡＳＣＩＩコードのデータテーブルを参照し、上記文字入力実行キーのキー操作により入力された文字データ（ＡＳＣＩＩコードデータ、或いはＪＩＳ漢字コードデータ）がＡＳＣＩＩコードによる文字データか否かを判定し、ＡＳＣＩＩコードによる文字データである場合、ピックアップユニット１１０ｂが備える磁気ヘッドを介して当該文字データをＵＴＯＣ１のカタカナエリアに記録する。
【００４３】
また、マイコン１６０は、上記文字入力実行キーのキー操作により入力された文字データがＡＳＣＩＩコードによる文字データでない場合、ピックアップユニット１１０ｂが備える磁気ヘッドを介して当該文字データ（ＪＩＳ漢字コードによる文字データ）をＵＴＯＣ４の漢字エリアに記録する。
【００４４】
更に、マイコン１６０は、上記漢字変換キーにより変換された文字データのうち、ＡＳＣＩＩコードにより表現可能な文字データを判定し、ＵＴＯＣ１のカタカナエリアに記録する。例えば、上記漢字変換キーにより変換された文字データが全角文字「Ａ」の場合、マイコン１６０は、この全角文字「Ａ」がＡＳＣＩＩコード＝４１ｈの文字データ「Ａ」（半角）で表現可能と判定し、ピックアップユニット１１０ｂが備える磁気ヘッドを介して、この文字データをＡＳＣＩＩコードデータとしてＵＴＯＣ１のカタカナエリアに記録する。
【００４５】
マイコン１６０は、更に、計時制御、ＭＤ交換制御、ＭＤ再生制御、記録制御、表示制御等の各種処理を行う。
【００４６】
マイコン１６０は、曲の再生開始から現時点までに経過した時間、及びＭＤ１の再生開始から現時点までに経過した総再生時間等を計時すると共に、それら計時した時間データを、上記内蔵ＲＡＭの所定記憶エリア内に記憶する計時制御を行う。
【００４７】
マイコン１６０は、入力部１４０が備える上記イジェクトキーの押下による押下信号に応じて、装填中のＭＤ１に係る各種処理を停止すると共に、ＳＲＡＭ１６１に記憶した上記ＭＤ１のＵＴＯＣデータ等の各種データをクリアするＭＤ交換制御を行う。
【００４８】
マイコン１６０は、入力部１４０が備える上記プレイキー或いはストップキーの押下による押下信号に応じて、ＭＤ１の再生／停止動作を指示する制御信号をサーボ制御回路に出力すると共に、ＳＲＡＭ１６１に記憶した再生中のトラックデータおよび上記内蔵ＲＡＭに記憶した各種時間データを読み取り、その読み取ったトラックデータや時間データを表示部１５０に出力する等のＭＤ再生制御を行う。
【００４９】
マイコン１６０は、ピックアップユニット１１０ｂにより読み取られたＭＤ１のデジタル音楽データが入力されると、入力部１４０が備える記録モード指定キーにより指定された記録モード（データ圧縮方式）に応じてＭＤ用ＡＴＲＡＣ・ＤＳＰ・ＬＳＩ１２０において上記デジタル音楽データをＡＴＲＡＣエンコード処理し、その処理したデジタル音楽データをＭＤ記録再生部（図示略）にセットされたＭＤ１に記録する記録制御を行う。
【００５０】
マイコン１６０は、上記ＭＤ１のＵＴＯＣデータや、ＭＤ記録再生装置１００の動作状態（例えば、再生中、一時停止中）等の各種表示データと、その表示データを表示部１５０に表示させる為の制御信号とを表示部１５０に出力する表示制御を行う。
【００５１】
ＳＲＡＭ１６１は、データを高速に読み書き可能な記憶装置であり、ＭＤ用ＡＴＲＡＣ・ＤＳＰ・ＬＳＩ１２０から出力されたＡＴＲＡＣエンコード／デコード処理済みデジタル音楽データを一時的に蓄積する為のバッファエリア、及び、ＭＤのＵＴＯＣデータを記憶する為の管理記憶エリアが形成される。
【００５２】
次いで、本発明を適用したＭＤ記録再生装置１００の動作を説明する。図６は、ＭＤ記録再生装置１００におけるタイトル入力処理を説明するフローチャートである。
ＭＤ記録再生装置１００が備える図示しないＭＤ再生部には所定のＭＤ１が装填され、ＭＤ１は、書き込み／読み込みが可能な状態にあるとする。
【００５３】
マイコン１６０は、ディスクや曲のタイトル、及びアーティスト名等の文字データが入力可能な状態にあり、この際、入力部１４０が備える上記文字データ入力キーのキー操作により所定文字データが入力されると（ステップＳ１１）、その入力された文字データはＵＴＯＣ１のカタカナエリアに記録可能か、即ち、ＡＳＣＩＩコードによる文字データであるか否かを判定し（ステップＳ１２）、ＡＳＣＩＩコードによる文字データの場合（ステップＳ１２；Ｙｅｓ）、当該文字データをＭＤ１が有するＵＴＯＣ１のカタカナエリアに記録する（ステップＳ１３）。
【００５４】
例えば、ステップＳ１１において入力された文字データが「イエスタデイ」（半角）の場合、マイコン１６０は、この「イエスタデイ」（半角）がＡＳＣＩＩコードによる文字データであると判定し（ステップＳ１２；Ｙｅｓ）、その文字データをＵＴＯＣ１のカタカナエリアに記録する（ステップＳ１３）。
【００５５】
ステップＳ１２において、上記入力された文字データがＡＳＣＩＩコードによる文字データでない場合（ステップＳ１２；Ｎｏ）、マイコン１６０は、当該文字データがＵＴＯＣ１のカタカナエリアに記録可能な文字データであるか否か、即ち、ＡＳＣＩＩコードを用いて表せる文字データがあるか否かを判定する（ステップＳ１４）。
【００５６】
ＡＳＣＩＩコードを用いて表せる文字データがあった場合（ステップＳ１４；Ｙｅｓ）、マイコン１６０は、マイコン１６０の内蔵ＲＯＭに記憶されたカタカナ対応テーブルから上記文字データに対応するＡＳＣＩＩコードを読み取り、ＪＩＳ漢字コードによる上記文字データをその読み取ったＡＳＣＩＩコードに変換した後（ステップＳ１５）、ＵＴＯＣ１のカタカナエリアに記録する（ステップＳ１３）。
【００５７】
例えば、上記入力された文字データが「ＡＢＣ」（全角）の場合、マイコン１６０は、「ＡＢＣ」（全角）がＡＳＣＩＩコードを用いて表せる文字データであると判定して（ステップＳ１４；Ｙｅｓ）ＡＳＣＩＩコードのデータテーブル（図４参照）からこの文字データに対応するＡＳＣＩＩコード＝４１ｈの文字データ「ＡＢＣ」（半角）を読み取り、そのＡＳＣＩＩコードをＵＴＯＣ１のカタカナエリアに記録する（ステップＳ１３）。
【００５８】
ステップＳ１４において、上記入力された文字データがＡＳＣＩＩコードで表すことができない場合（ステップＳ１４；Ｎｏ）、マイコン１６０は、当該文字データがＵＴＯＣ４の漢字エリアに記録可能な文字データであるか否か、即ち、ＪＩＳ漢字コードによる文字データであるか否かを判定する（ステップＳ１６）。
【００５９】
ステップＳ１６において、上記入力された文字データがＪＩＳ漢字コードによる文字データの場合（ステップＳ１６；Ｙｅｓ）、マイコン１６０は、当該文字データをＵＴＯＣ４の漢字エリアに記録し（ステップＳ１７）、ＪＩＳ漢字コードによる文字データでない場合（ステップＳ１６；Ｎｏ）、文字データの再入力を要求する表示データを表示部１５０に表示して文字データが入力されるのを待機する（ステップＳ１８）。
【００６０】
以上説明したように、本発明を適用したＭＤ記録再生装置１００では、ディスクや各曲のタイトル、及びアーティスト名等の文字データをＭＤ１に記録する際、記録する文字データがユーザによりカタカナや漢字に予め変換される。次いでＭＤ記録再生装置１００が備えるマイコン１６０は、その変換後の文字データがＵＴＯＣ１のカタカナエリアに記録可能であるか、或いはＵＴＯＣ４の漢字エリアに記録可能であるかを判定し、その判定結果に応じて、上記カタカナエリア或いは漢字エリアの何れかのエリアに上記文字データを記録する機能を有する。
【００６１】
更に、ＭＤ記録再生装置１００が備えるマイコン１６０は、ＵＴＯＣ１のカタカナエリアに記録不可能な文字データ（ＪＩＳ漢字コードによる文字データ）のうち、ＡＳＣＩＩコードで表現可能な文字データを判定し、マイコン１６０の内蔵ＲＯＭに記憶されたＡＳＣＩＩコードのデータテーブルから対応するＡＳＣＩＩコードを読み取り、そのコードデータをＵＴＯＣ１のカタカナエリアに記録する機能を有する。
【００６２】
従って、ディスクや各曲のタイトル、及びアーティスト名等の文字データが、漢字（ＪＩＳ漢字コード）或いはカタカナ（ＡＳＣＩＩコード）のいずれのコードで入力されても、自動的に記録先エリア（漢字エリア、或いはカタカナエリア）が選択され、その選択されたエリアに記録されるので、これら各エリアを予め指定してから文字データを入力する必要がなくなり、上記記録先エリアの切替操作が不要になるので使い勝手のよいＭＤ記録再生装置１００が実現できる。
【００６３】
更に、入力された文字データがＪＩＳ漢字コードによる全角文字データの場合、その文字データがＡＳＣＩＩコードにより表現可能か否か（すなわち、代替半角文字があるか否か）が自動的に判定され、ＡＳＣＩＩコードにより表現可能と判定された場合、自動的にその代替半角文字に対するＡＳＣＩＩコードがＵＴＯＣ１のカタカナエリアに記録されるので、２つのエリア（漢字エリア、カタカナエリア）が有する３５８４ｂｙｔｅ分の限られたメモリを効率よく使用可能となり、経済的である。
【００６４】
なお、本発明は、上記実施の形態の内容に限定されるものではなく、本発明の趣旨を逸脱しない範囲で適宜変更可能である。例えば、上記実施の形態では光磁気ディスクとしてＭＤのみを対象としたが、これに限らず、半導体メモリ、ＤＶＤ―Ｒ（Digital Versatile Disc-Rewrightable）、及びＤＶＤ―ＲＡＭ（Digital Versatile Disc-Random Access Memory）、ＨＤＤ（Hard Disc Drive）等、ユーザにより記録可能な記録先を対象とした記録再生装置であっても良い。
【００６５】
また、上記実施の形態においては、ＡＳＣＩＩコード及びＪＩＳ漢字コードに基づいて入力文字データが変換されるとしたが、これに限らず、シフトＪＩＳコードに絵文字の文字コードを追加したものであるミュージックシフティッドＪＩＳ（Music Shifted JIS）コードに基づいて入力文字データが変換されるようにしても良い。
【００６６】
また、本発明を適用したＭＤ記録再生装置１００に、専用の文字入力キーボードを備えたＰＣ（Personal Conputer）等を接続し、文字入力キーボードのキー操作によりＭＤ記録再生装置１００に文字データを入力する構成にしても良い。
【００６７】
上述した記録再生装置によれば、ディスクや各曲のタイトル、及びアーティスト名等の文字データが、１バイトコード（アルファベット、カタカナ等の半角文字）或いは２バイトコード（かな漢字等の全角）のいずれのコードで入力されても、自動的にＭＤ等の記録媒体の記録先エリア（１バイトコードには第１の記録エリア、２バイトコードには第２の記録エリア）が選択され、その選択された各エリアに文字データが記録されるので、これら各エリアを予め指定してから文字データを入力する必要がなくなり、記録先エリアをその都度指定する手間が省けるので、記録再生装置の使い勝手を向上できる。
【００６８】
【発明の効果】
この発明によれば、曲のタイトル等の各種文字データを、各コード形式に応じて効率よく記録可能な記録再生装置を得ることができる。
【図面の簡単な説明】
【図１】本発明を適用したＭＤ記録再生装置１００の内部構成を示すブロック図である。
【図２】ＭＤ１に記録されたＵＴＯＣ１データの一例を示す図である。
【図３】ＭＤ１に記録されたＵＴＯＣ４データの一例を示す図である。
【図４】本発明を適用したＭＤ記録再生装置１００が格納するＡＳＣＩＩコードのデータテーブルを示す。
【図５】本発明を適用したＭＤ記録再生装置１００が格納するカタカナ対応テーブルを示す。
【図６】本発明を適用したＭＤ記録再生装置１００におけるタイトル入力処理を説明するフローチャートである。
【符号の説明】
１  ＭＤ
１０ａ  ディジタル出力端子
１０ｂ  アナログ出力端子
１００  ＭＤ記録再生装置
１１０  ＭＤ部
１１０ａ  ＭＤスロットインメカ
１１０ｂ  ピックアップユニット
１１０ｃ  ＲＦアンプ
１２０  ＭＤ用ＡＴＲＡＣ・ＤＳＰ・ＬＳＩ
１３０  Ｄ／Ａ
１４０  入力部
１５０  表示部
１６０  マイコン
１６１  ＳＲＡＭ
【図１】
0004436012.tif 000002
【図２】
0004436012.tif 000003
【図３】
0004436012.tif 000004
【図４】
0004436012.tif 000005
【図５】
0004436012.tif 000006
【図６】
0004436012.tif 000007